(57)【要約】【課題】  画像内の輝度変化検出を行う場合に、画像の画素数の変更に容易に対処できるようにする。【解決手段】  入力画像信号を、所定数の画素毎にブロック化し、そのブロック内の画素の輝度レベルの積分値を算出し、算出された積分値のブロック毎の分布を算出し、算出された分布の変化により、入力画像信号の場面切換を検出する場合に、入力画像信号の隣接するｎ個（ｎは２以上の整数）の画素の輝度レベルを加算器２２ａ〜２２ｙで加算するとともに、乗算器２３ａ〜２３ｙで１／ｎのレベルとし、加算及び１／ｎのレベルとする処理が施された輝度レベルから、輝度の積分値を算出するようにした。【選択図】      図２  
2005347842.tif 000002
【特許請求の範囲】
【請求項１】
入力画像信号を、所定数の画素毎にブロック化し、
前記ブロック内の画素の輝度レベルの積分値を算出し、
前記算出された積分値のブロック毎の分布を算出し、
前記算出された分布の変化により、前記入力画像信号の場面切換を検出する輝度変化検出方法において、
前記入力画像信号の少なくとも一部の画素について、隣接するｎ個（ｎは２以上の整数）の画素の輝度レベルを加算するとともに、１／ｎのレベルとし、
前記加算及び１／ｎのレベルとする処理が施された輝度レベルから、前記積分値を算出する
輝度変化検出方法。
【請求項２】
請求項１記載の輝度変化検出方法において、
前記加算及び１／ｎのレベルとする処理を選択的に行うことで、１つのブロック内の積分値を算出するための画素加算数を、前記入力画像信号の１フレーム内の画素数が変化しても一定とし、
前記入力画像信号の場面切換を検出する閾値を、前記入力画像信号の１フレーム内の画素数が変化しても一定とした
輝度変化検出方法。
【請求項３】
請求項１記載の輝度変化検出方法において、
前記算出された分布の変化により、入力画像信号の場面切換を検出した場合に、前記入力画像信号の場面切換検出位置に、チャプタを設定する
輝度変化検出方法。
【請求項４】
入力画像信号を、所定数の画素毎にブロック化するブロック化手段と、
前記ブロック化手段でブロック化されたブロック内の、少なくとも一部の画素について、隣接するｎ個（ｎは２以上の整数）の画素の輝度レベルを加算するとともに、１／ｎのレベルとする演算手段と、
前記演算手段が演算した輝度レベルの積分値を前記ブロック毎に算出する輝度積分値算出手段と、
前記輝度積分値算出手段で算出された積分値のブロック毎の分布を算出するヒストグラム算出手段と、
前記ヒストグラム算出手段で算出された分布の変化が閾値を越えた場合に、前記入力画像信号の場面切換を検出する輝度変化検出手段とを備えた
輝度変化検出装置。
【請求項５】
請求項４記載の輝度変化検出装置において、
前記演算手段での加算及び１／ｎのレベルとする演算処理は、前記画像信号の1フレーム内の画素数の変化に対応して選択的に行って、１つのブロック内の積分値を算出するための画素加算数を、前記入力画像信号の１フレーム内の画素数が変化しても一定とし、
前記輝度変化検出手段で設定される閾値を、前記入力画像信号の１フレーム内の画素数が変化しても一定とした
輝度変化検出装置。
【請求項６】
請求項４記載の輝度変化検出装置において、
前記輝度変化検出手段で入力画像信号の場面切換を検出した場合に、その検出した入力画像信号の場面切換検出位置に、チャプタを設定する
輝度変化検出装置。
【発明の詳細な説明】
【技術分野】
【０００１】
本発明は、画像信号の輝度変化を検出する輝度変化検出方法及び装置に関する。
【背景技術】
【０００２】
従来、入力した画像信号（映像信号）の輝度変化を検出することが、映像機器において行われている。図7は、従来の画像信号の輝度変化検出構成例を示した図である。入力した画像信号は、1フレーム内の画素を、所定数の画素毎にブロックを構成して、そのブロック単位で輝度レベルを積分するようにしてある。具体的には、例えば図８に示すように、画像Ｐ０が入力した場合に、その画像Ｐ０内の有効画素を、Ｘ画素（水平方向）×Ｙ画素（垂直方向）の所定画素（Ｘ及びＹは予め決められた複数の値）ごとに分割したブロックＰ１，Ｐ２，Ｐ３，……とするサンプリングブロックとする処理を、各フレーム毎に行う。
【０００３】
このようにブロック化された画像信号は、１ブロック単位で図7に示す輝度変化検出部に入力される。即ち、１ブロック内の垂直方向の１列の画素の輝度データが、入力端子１ａ，１ｂ，……１ｙに得られるとすると、各画素の輝度データは、タイミング補正手段としてのフリップフロップ２ａ，２ｂ，……２ｙを介して、垂直方向積分回路３に供給する。
【０００４】
垂直方向積分回路３では、供給される垂直方向の１列の画素の輝度値を積算する積分処理を行い、得られた積分値を水平方向積分回路４に供給する。水平方向積分回路４では、１ブロックの水平方向の画素数であるＸ個の画素データが供給される毎に、コントローラ（図示せず）から端子５を介して供給されるリセット信号ＲＳＴで、積分動作をリセットしながら、水平方向の積分を行い、そのリセットされる直前の積分値を、ヒストグラム出力回路６に供給する。
【０００５】
ヒストグラム出力回路６は、供給される１ブロックの輝度の積分値が、予め決められた複数段階（例えば１６段階）のレベルの内のどの段階であるか判断して、その判断した段階の値を出力する。ヒストグラム出力回路６の出力は、ヒストグラム解析回路７に供給して、１フレームごとに、どのような輝度分布であるのか解析する。
【０００６】
そして、コントローラなどで、その解析結果を１フレームごとに判断して、輝度分布に予め決められた閾値以上の輝度分布の変化を検出した場合、入力した画像信号による画像のシーン（場面）が変化したと判断する。このようにして入力画像信号の場面変化点を検出することで、対応した画像処理が可能になる。
【０００７】
特許文献１には、画像信号のレベルをブロック単位で検出することについての開示がある。
【特許文献１】特開２００３−１４３４３７号公報
【発明の開示】
【発明が解決しようとする課題】
【０００８】
ところが、図７のようにブロック化して輝度レベルを検出して、その分布から輝度変化を検出するようにした場合、入力した画像信号のサイズによって、判断する条件を変更する必要がある。従って、複数のサイズの画像信号入力に対応させるためには、図７に示した輝度変化検出部の処理構成や処理プログラムなどを変更する必要があり、負担が大きい問題があった。
【０００９】
具体的には、例えば図９に示すように、所定の画素数の第１の入力画像信号Ｐａから、それよりも１フレーム内の画素数が多い第２の入力画像信号Ｐｂ又はＰｃに変化したとすると、１サンプリングブロック内の画素数を変化させない画像信号Ｐｂとして扱うか、或いは１フレーム内のサンプリングブロック数を変化させない画像信号Ｐｃとして扱うかの、いずれかになる。
【００１０】
ここで、１サンプリングブロック内の画素数を変化させない画像信号Ｐｂとした場合には、１フレーム内のブロック数が増えるので、輝度変化ありと判断するためのヒストグラムの値の重みが変動し、ヒストグラムを処理するアプリケーション等を、画像サイズに応じて変更する必要が生じる。
【００１１】
また、１フレーム内のサンプリングブロック数を変化させない画像信号Ｐｃとした場合には、ヒストグラムの値の重みは変動しないが、１ブロック内の画素数が大きく変わるので、積分加算される輝度レベルの値そのものが大きく変動し、輝度レベルを判断する閾値そのものを、画像サイズに応じて変更する必要が生じる。なお、ここでの画像サイズの変化とは、１フレーム内の画素数が変化である。
【００１２】
このように、入力画像信号の画像サイズの変化に対応して輝度変化検出を行うためには、種々の検出条件などを変更する必要があり、そのための処理構成の変更やプログラム変更などに多大な手間が必要になる問題があった。
【００１３】
本発明の目的は、輝度変化検出を行う場合に、画像の画素数の変更に容易に対処できるようにすることにある。
【課題を解決するための手段】
【００１４】
本発明は、入力画像信号を、所定数の画素毎にブロック化し、そのブロック内の画素の輝度レベルの積分値を算出し、算出された積分値のブロック毎の分布を算出し、算出された分布の変化により、入力画像信号の場面切換を検出する場合に、入力画像信号の隣接するｎ個（ｎは２以上の整数）の画素の輝度レベルを加算するとともに、１／ｎのレベルとし、加算及び１／ｎのレベルとする処理が施された輝度レベルから、輝度の積分値を算出するようにしたものである。
【００１５】
このようにしたことで、隣接する画素の輝度レベルを加算する値であるｎの設定を適正に行うことで、入力画像信号の１フレーム内の画素数が変化しても、１フレーム内のブロック数を変えずに、ブロック毎の輝度を積分する画素数を変化させないように設定できる。
【発明の効果】
【００１６】
本発明によると、入力画像信号の１フレーム内の画素数が変化しても、１フレーム内のブロック数を変えずに、ブロック毎の輝度を積分する画素数を変化させないように設定できる。従って、入力画像信号の１フレーム内の画素数が変化しても、輝度変化を検出するための回路構成や処理プログラムなどを変更する必要がなく、それだけ画像サイズの変化に対応させるための構成や処理を簡単にすることができる。
【００１７】
特に、入力画像信号の場面切換を検出する閾値を、入力画像信号の１フレーム内の画素数が変化しても一定としたことで、輝度変化検出のための閾値設定を画像サイズ毎に変更する必要がなくなり、同じ閾値を使用して入力画像信号の場面切換を検出できるようになる。
【００１８】
また、算出された分布の変化から入力画像信号の場面切換を検出した場合に、入力画像信号の場面切換検出位置にチャプタを設定することで、場面切換毎にチャプタを自動設定する処理が、どの画像サイズでも良好に行えるようになる。
【発明を実施するための最良の形態】
【００１９】
以下、本発明の一実施の形態を、図１〜図６を参照して説明する。
本例においては、ＤＶＤ（Digital Video Disc又はDigital Versatile Disc）と称される記録媒体（ここでは光ディスク）に入力した画像信号（映像信号）を記録する画像記録装置に適用したものである。
【００２０】
図１はその全体構成を示した図であり、入力端子１１に得られる画像信号（デジタル画像データ）は、画像入力部１２に供給し、入力した画像サイズに対応した入力処理を行う。例えば、所定の伝送方式用に圧縮符号化されている場合に、その圧縮符号化からの復号化等を行う。このとき、この機器の各部の動作制御を行うコントローラ３０に、入力した画像サイズ（画素数）のデータを供給する。画像入力部１２で入力処理された画像データは、画像処理部１３に供給して、媒体に記録させるための各種画像処理を行う。画像処理部１３で処理された画像データは、記録データ生成部１４に供給して、媒体に記録するためのデータとする。画像データ以外の記録データについても生成される。
【００２１】
また、記録位置を指示するためのチャプタ信号なども、コントローラ３０から記録データ生成部１４に送られて、媒体にチャプタ信号が記録される。記録データ生成部１４で生成された記録データは、媒体記録処理部１５に送られて、記録媒体１６に記録させる処理が行われる。なお、図１の記録系の構成は、画像データの記録系だけを示してあり、音声データなどのその他のデータの処理系については省略してある。
【００２２】
そして本例においては、画像入力部１２が出力する画像データを、輝度抽出部１７に供給して、画像データの中の有効画像範囲内の各画素の輝度データだけを抽出する。輝度抽出部１７で抽出された輝度データは、サンプリングブロック化部１８に供給して、１フレームの画像を、予め決められたサンプリングブロックに分割する。ここでは、画像データの１フレーム内の画素数（画像サイズ）が変化しても、１フレーム内に設定するブロック数は同じとしてある。サンプリングブロック化部１８で分割された各サンプリングブロックのデータは、輝度変化検出部２０に供給する。輝度変化検出部２０は、ブロック毎の輝度の積分値の分布を算出するヒストグラム算出処理を行って、輝度変化を検出する手段であり、その詳細構成については後述する（図２、図５）。
【００２３】
輝度変化検出部２０では、隣接するフレーム間で、所定以上の輝度変化が検出された場合、その輝度変化ありのデータをコントローラ３０に供給する。なお、コントローラ３０は、輝度変化検出部２０に、現在入力中の画像データの画像サイズのデータを送るようにしてある。またコントローラ３０は、輝度変化ありと検出するのに必要な閾値のデータを、輝度変化検出部２０に送って、設定させる。本例の閾値は、１フレーム内の画素数（画像サイズ）が変化しても、一定の値で変化させない。
【００２４】
コントローラ３０では、輝度変化検出部２０で輝度変化ありと検出した場合に、その検出したタイミングで、入力した画像の場面（シーン）が変化したと判断して、そのとき媒体１６に記録させる画像データの該当位置に、チャプタを設定する。このようにチャプタが設定されることで、後で媒体に記録された画像データを再生する際には、設定されたチャプタ位置から再生させる指示が可能になり、場面が変わる位置からの再生が簡単に行える。
【００２５】
次に、本例の輝度変化検出部２０の構成について説明する。本例の輝度変化検出部２０では、必要により、１サンプリングブロック内の垂直方向の画素数を調整するとともに、１サンプリングブロック内の水平方向の画素数についても調整するようにしてある。
【００２６】
まず、垂直方向の画素数を調整する構成を、図２に示すと、この例では垂直方向の画素数を１／２にする回路の例である。ここでは１ブロック内の垂直方向の画素の輝度データが、１画素ずつ端子２１ａ，２１ｂ，２１ｃ，２１ｄ，……，２１ｙ，２１ｚに供給される。供給される輝度データは、隣接する２画素ずつ加算器２２ａ，２２ｂ，……，２２ｙに供給して、その隣接する２画素の輝度データを加算する。各加算器２２ａ〜２２ｙで加算された輝度データは、係数乗算器２３ａ，２３ｂ，……，２３ｙに供給して、係数１／２を乗算して、値を１／２にする。このようにしたことで、加算器２２ａ〜２２ｙで加算された輝度データを、係数乗算器２３ａ〜２３ｙで平均化する処理が行われることになる。
【００２７】
各係数乗算器２３ａ〜２３ｙで平均化された画素の輝度データは、タイミング補正手段としてのフリップフロップ２４ａ，２４ｂ，……２４ｙを介して、垂直方向積分回路２５に供給する。
【００２８】
垂直方向積分回路２５では、供給される垂直方向の１列の画素の輝度値を積算する積分処理を行い、得られた積分値を水平方向積分回路２６に供給する。水平方向積分回路２６では、１ブロックの水平方向の画素数であるＸ個の画素データが供給される毎に、コントローラ３０側から端子２７を介して供給されるリセット信号ＲＳＴで、積分動作をリセットしながら、水平方向の積分を行い、そのリセットされる直前の積分値を、ヒストグラム出力回路２８に供給する。
【００２９】
ヒストグラム出力回路２８は、供給される１ブロックの輝度の積分値が、予め決められた複数段階（例えば１６段階）のレベルの内のどの段階であるか判断して、その判断した段階の値を出力する。ヒストグラム出力回路２８の出力は、ヒストグラム解析回路２９に供給して、１フレームごとに、どのような輝度分布であるのか解析し、隣接した１フレーム間の輝度分布の変化量が、コントローラ３０から指示された閾値を越えた場合に、入力した画像信号による画像のシーン（場面）が変化したと判断し、画面変化検出データをコントローラ３０に供給する。
【００３０】
なお、図２の例では、垂直方向の画素数を１／２にする回路の例であるので、垂直方向の全ての隣接画素を加算して平均化するようにしたが、画像サイズの変化数が正確に１／２にならない場合には、一部の区間の画素だけを加算して平均化するようにしてもよい。また、１ブロックの垂直方向の画素数を減らす必要がない場合には、加算器２２ａ〜２２ｙと係数乗算器２３ａ〜２３ｙでの処理は必要ない。
【００３１】
図３は、図２に示した回路で処理した場合の、入力画像のサンプリングブロックの設定例と、そのサンプリングブロック内の輝度データのサンプリング単位を示した図である。図３Ａに示すように、入力画像サイズが小さい場合には、入力画像をブロック分割した後、ブロック内の画素の輝度データをそのまま垂直方向積分回路２５に供給して、処理させる。即ち、サンプリング単位が、図３Ａの右側に示すように、［水平方向Ｘ画素］×［垂直方向Ｙ画素］となる。
【００３２】
そして、入力画像サイズが大きい場合には（ここでは垂直方向の画素数が２倍になったとする）、図３Ｂに示すように、入力画像を同じブロック数でブロック分割した後、ブロック内の画素の輝度データを、垂直方向の隣接画素毎に加算して平均化してから垂直方向積分回路２５に供給して、処理させる。即ち、サンプリング単位が、図３Ｂの中央に示すように、［水平方向Ｘ画素］×［垂直方向２Ｙ画素］であったものが、右側に示すように、［水平方向Ｘ画素］×［垂直方向Ｙ画素］となって処理される。
【００３３】
次に、水平方向の画素数を調整する構成を、図４に示すと、この例では水平方向の画素数を１／２にする回路の例である。ここでは１ブロック内の垂直方向の画素の輝度データが、２画素ずつ端子３１ａ，３１ｂ，……，３１ｙに供給され、２画素のデータを積分する。２画素毎に積分された輝度データは、各ライン毎に、水平方向の係数乗算器３２ａ，３２ｂ，……，３２ｙに供給して、その２画素の輝度の積分値に対して係数１／２を乗算して、値を１／２にする。
【００３４】
各係数乗算器３２ａ〜３２ｙで１／２となった輝度データは、タイミング補正手段としてのフリップフロップ３３ａ，３３ｂ，……３３ｙを介して、垂直方向積分回路２５に供給する。
【００３５】
以後は、図２の回路と同様である。即ち、垂直方向積分回路２５では、供給される垂直方向の１列の画素の輝度値を積算する積分処理を行い、得られた積分値を水平方向積分回路２６に供給する。水平方向積分回路２６では、１ブロックの水平方向の画素数であるＸ個の画素データが供給される毎に、コントローラ３０側から端子２７を介して供給されるリセット信号ＲＳＴで、積分動作をリセットしながら、水平方向の積分を行い、そのリセットされる直前の積分値を、ヒストグラム出力回路２８に供給する。
【００３６】
ヒストグラム出力回路２８は、供給される１ブロックの輝度の積分値が、予め決められた複数段階（例えば１６段階）のレベルの内のどの段階であるか判断して、その判断した段階の値を出力する。ヒストグラム出力回路２８の出力は、ヒストグラム解析回路２９に供給して、１フレームごとに、どのような輝度分布であるのか解析し、隣接した１フレーム間の輝度分布の変化量が、コントローラ３０から指示された閾値を越えた場合に、入力した画像信号による画像のシーン（場面）が変化したと判断し、画面変化検出データをコントローラ３０に供給する。
【００３７】
図６は、ヒストグラム出力回路２８からヒストグラム解析回路２９に供給される輝度のヒストグラムの一例を示した図である。この例では、各ブロックの輝度レベルの積分値を０から１５の１６段階に分けてあり、１フィールド内の各ブロックの輝度レベルの積分値が、その１６段階のいずれであるか、ヒストグラム出力回路２８で分けるようにして、各レベルが、１フィールド内に何ブロックあるかを示したのが、図６である。図６Ａに示す直前フィールドのヒストグラムと、図６Ｂに示す現フィールドのヒストグラムとを比較して、その差分が予め設定された閾値を超えた場合に、場面変化ありと判断するものである。図６に示すような輝度変化が隣接フィールド間である場合には、場面変化ありと判断される。
【００３８】
なお、図４の例では、水平方向の画素数を１／２にする回路の例であるので、水平方向の全ての隣接画素を加算して平均化するようにしたが、画像サイズの変化数が正確に１／２にならない場合には、一部の区間の画素だけを加算して平均化するようにしてもよい。また、１ブロックの水平方向の画素数を減らす必要がない場合には、係数乗算器３２ａ〜３２ｙでの処理は必要ない。
【００３９】
図５は、図４に示した回路で処理した場合の、入力画像のサンプリングブロックの設定例と、そのサンプリングブロック内の輝度データのサンプリング単位を示した図である。図５Ａに示すように、入力画像サイズが小さい場合には、入力画像をブロック分割した後、ブロック内の画素の輝度データをそのまま垂直方向積分回路２５に供給して、処理させる。即ち、サンプリング単位が、図５Ａの右側に示すように、［水平方向Ｘ画素］×［垂直方向Ｙ画素］となる。
【００４０】
そして、入力画像サイズが大きい場合には（ここでは水平方向の画素数が２倍になったとする）、図５Ｂに示すように、入力画像を同じブロック数でブロック分割した後、ブロック内の画素の輝度データを、水平方向の隣接画素毎に積分して１／２としてから垂直方向積分回路２５に供給して、処理させる。即ち、サンプリング単位が、図５Ｂの中央に示すように、［水平方向２Ｘ画素］×［垂直方向Ｙ画素］であったものが、右側に示すように、［水平方向Ｘ画素］×［垂直方向Ｙ画素］となって処理される。
【００４１】
このように処理されることで、入力画像のサイズが変化した場合であっても、ヒストグラム出力回路２８とヒストグラム解析回路２９での処理については、常に同じ処理が可能である。具体的には、ヒストグラム出力回路２８に入力する輝度の積分値については、画像サイズが変化しても、同じ重みの積分値となり、ヒストグラム解析回路２９では、場面変化を判断するための閾値についても全く同じ値が使用でき、輝度変化に基づいて場面変化の判断処理を行う場合の処理状態に変更を加える必要がない。
【００４２】
なお、図２及び図４に示した例では、垂直方向の画素数を１／２にする回路や、水平方向の画素数を１／２にする回路を、単独で使用する例としたが、図２の処理構成と図４の処理構成を組み合わせることで、１サンプリングブロック内の画素として、例えば［水平方向２Ｘ画素］×［垂直方向２Ｙ画素］であったものを、［水平方向Ｘ画素］×［垂直方向Ｙ画素］とすることが可能になる。具体的な画素数の例を示すと、例えば、小さいが画像サイズとして、［水平方向７２０画素］×［垂直方向２４０画素］であるとする。このとき、それより大きい画像サイズである、［水平方向７２０画素］×［垂直方向４８０画素］が入力した場合には、垂直方向を１／２にすればよい。また、さらに大きい画像サイズである、［水平方向１４４０画素］×［垂直方向４８０画素］が入力した場合には、垂直方向と水平方向の双方を１／２にすればよい。
【００４３】
このように本例の処理構成とすることで、入力画像サイズが変わっても、ヒストグラムの集計結果の重みが変わらないので、１つの画像サイズにだけ対応したアプリケーションをそのまま適用して、輝度変化検出を行うことが可能になる。また、サンプリングの最小単位を変更（共用）するにあたり、回路規模の増加がないので、回路の効率が向上する。
さらに、回路規模の増加を軽減できることで、消費電力を削減できる。
【００４４】
なお、上述した実施の形態では、１ブロック内の垂直方向及び／又は水平方向の２つの隣接画素の輝度データを積分して、各サンプリングブロックの輝度積分時の画素数を１／２にするようにしたが、例えば１ブロック内の３つ、或いはそれ以上の隣接画素の輝度データを積分又は加算して、各サンプリングブロックの輝度積分時の画素数を１／３或いはそれ以上の積分数（加算数）で割るようにしてもよい。具体的には、隣接するｎ個（ｎは２以上の整数）の画素の輝度データを積分（加算）する場合に、１／ｎに割ればよい。
【００４５】
また、上述した実施の形態では、１ブロック内の垂直方向及び／又は水平方向の全ての隣接画素の輝度データを積分（加算）して、その積分数（加算数）で割る処理を行うようにしたが、例えば用意された画像サイズの画素数の変化が整数倍でない場合には、１ブロック内の垂直方向及び／又は水平方向の一部の隣接画素の輝度データだけを積分（加算）して、その積分（加算）された画素についてだけは対応した数で割る処理を行うようにして、サンプリングブロック内の画素数を調整して、画素数の変化が整数倍でない場合でも、各サンプリングブロックの輝度積分時の画素数を同じに設定してもよい。
【００４６】
また、上述した実施の形態では、ＤＶＤなどの記録媒体に画像信号を記録する際のチャプタ設定処理に、本例の輝度変化検出に基づいた場面切換の検出を適用したが、画像信号に関係したその他の処理に、本例の輝度変化検出処理を適用することが可能である。
【図面の簡単な説明】
【００４７】
【図１】本発明の一実施の形態による全体構成例を示したブロック図である。
【図２】本発明の一実施の形態による輝度変化検出部の構成例（垂直方向の画素数の調整処理構成例）を示したブロック図である。
【図３】図２の処理例によるサンプリング単位の例を示した説明図である。
【図４】本発明の一実施の形態による輝度変化検出部の構成例（水平方向の画素数の調整処理構成例）を示したブロック図である。
【図５】図４の処理例によるサンプリング単位の例を示した説明図である。
【図６】輝度レベルのヒストグラムの一例を示した説明図である。
【図７】従来の輝度変化の検出構成例を示したブロック図である。
【図８】サンプリングブロックの例を示した説明図である。
【図９】画像サイズ変化時の処理例を示した説明図である。
【符号の説明】
【００４８】
１１…入力端子、１２…画像信号入力部、１３…画像処理部、１４…記録データ生成部、１５…媒体記録処理部、１６…記録媒体、１７…輝度抽出部、１８…サンプリングブロック化部、２０…輝度変化検出部、２２ａ〜２２ｙ…加算器、２３ａ〜２３ｙ…係数乗算器（１／２回路）、２５…垂直方向積分回路、２６…水平方向積分回路、２７…リセット信号入力端子、２８…ヒストグラム出力回路、２９…ヒストグラム解析回路、３０…コントローラ、３２ａ〜３２ｙ…係数乗算器（１／２回路）
【図１】
2005347842.tif 000003
【図２】
2005347842.tif 000004
【図３】
2005347842.tif 000005
【図４】
2005347842.tif 000006
【図５】
2005347842.tif 000007
【図６】
2005347842.tif 000008
【図７】
2005347842.tif 000009
【図８】
2005347842.tif 000010
【図９】
2005347842.tif 000011